(57)【要約】【課題】独立した編集筐体を設置した場合でも、装置全体の奥行きを短くすることができる写真撮影編集方法およびその装置を提供し、店舗の敷地を有効活用する目的。【解決手段】撮影側の撮影筐体に備えられて撮影空間内の一以上の被写体を照明する照明手段と、前記照明手段で照明されている被写体を撮影して撮影画像を作成する撮影手段と、編集側の編集筐体に備えられて前記撮影画像を編集して編集画像を作成許容する編集手段と、前記撮影画像または／および前記編集画像を出力する出力手段とを有する写真撮影編集方法またはその装置に、前記編集筐体に、撮影方向を前記撮影筐体側に向けた前記撮影手段を備え、前記撮影筐体に、前記撮影手段による該撮影筐体越しの撮影を許容する窓部を備えた。【選択図】図２
2007163949.tif 000002
【特許請求の範囲】
【請求項１】
撮影空間内の一以上の被写体を撮影側の撮影筐体に備えられた照明手段で照明し、前記照明手段で照明されている被写体を撮影手段で撮影して撮影画像を作成し、編集側の編集筐体に備えられた編集手段で前記撮影画像を編集許容して編集画像を作成許容し、前記撮影画像または／および前記編集画像を出力手段で出力する写真撮影編集方法であって、
撮影方向を前記撮影筐体側に向けて前記編集筐体に備えられた前記撮影手段が、前記撮影筐体に備えられた窓部を通じて該撮影筐体越しに前記撮影空間内の一以上の被写体を撮影する
写真撮影編集方法。
【請求項２】
前記撮影手段が前記編集筐体に取付部によって取り付けられ、該取付部により、前記撮影筐体と前記編集筐体との接続面に対して前記撮影手段の略並行な移動を許容する
請求項１記載の写真撮影編集方法。
【請求項３】
前記編集筐体に取り付けられた前記撮影手段が、位置決め手段により前記撮影筐体に対して位置決めされた状態で前記撮影を行う
請求項１または２記載の写真撮影編集方法。
【請求項４】
前記編集手段が、前記撮影画像などの画像を表示するディスプレイと、該ディスプレイの表示に対してのタッチ入力を許容するタッチパネルとで構成され、
前記編集筐体に、前記ディスプレイおよびタッチパネルを開閉可能に取り付ける開口部が備えられて、
前記開口部が開けられて該開口部から連通する空間を介してメンテナンスされた前記撮影手段により、前記撮影を行う
請求項１、２または３記載の写真撮影編集方法。
【請求項５】
撮影側の撮影筐体に備えられて撮影空間内の一以上の被写体を照明する照明手段と、
前記照明手段で照明されている被写体を撮影して撮影画像を作成する撮影手段と、
編集側の編集筐体に備えられて前記撮影画像を編集して編集画像を作成許容する編集手段と、
前記撮影画像または／および前記編集画像を出力する出力手段とを有する写真撮影編集装置であって、
前記編集筐体に、撮影方向を前記撮影筐体側に向けた前記撮影手段を備え、
前記撮影筐体に、前記撮影手段による該撮影筐体越しの撮影を許容する窓部を備えた
写真撮影編集装置。
【請求項６】
前記撮影筐体と前記編集筐体との接続面に対して前記撮影手段を略並行に移動可能に前記編集筐体に取り付ける取付部を備えた
請求項５記載の写真撮影編集装置。
【請求項７】
前記編集筐体に取り付けられた前記撮影手段を前記撮影筐体に対して位置決めする位置決め手段を備えた
請求項５または６記載の写真撮影編集装置。
【請求項８】
前記編集手段を、前記撮影画像などの画像を表示するディスプレイと、該ディスプレイの表示に対してのタッチ入力を許容するタッチパネルとで構成し、
前記編集筐体に、前記ディスプレイおよびタッチパネルを開閉可能に取り付ける開口部を備え、
該開口部から前記撮影手段までの空間を連通した
請求項５、６または７記載の写真撮影編集装置。
【発明の詳細な説明】
【技術分野】
【０００１】
この発明は、例えば被写体を撮影して撮影画像を取得し、この撮影画像に編集許容して編集画像を取得し、この編集画像を出力するような写真撮影編集方法およびその装置に関する。
【背景技術】
【０００２】
従来、撮影部にて被写体を撮影し、編集部にて撮影画像への編集を許容し、印刷部にて編集画像をシール紙に印刷した写真シールシートを排出する写真撮影編集装置が提供されている。この写真撮影装置について、被写体となる利用者は、時間をかけて様々なポーズをとって撮影したいという要望と、撮影する枚数を多くして欲しいという要望と、編集に時間をかけたいという要望とを有している。また写真撮影装置を設置する店舗経営者は、一回のプレイ時間をなるべく短くし、たくさんの利用者にプレイしてもらって収入を多く得たいという希望を有している。
【０００３】
このようなことから、近年の写真撮影編集装置は、撮影部と編集部をそれぞれ単独の筐体（撮影筐体と編集筐体）で構成し、撮影を楽しむ利用者と編集を楽しむ利用者に同時対応できるようにしている。これにより、利用者に対しては長時間の撮影時間と編集時間を提供でき、店舗経営者に対しては同時対応による収入増を提供できる。
【０００４】
また、編集部を複数箇所設け（例えば２箇所）、より多くの利用者に同時対応できるようにしたものもある。例えば、撮影筐体の両側面を挟込むように１つずつ計２つの編集部を設けたもの（特許文献１参照）や、２つの編集筐体を背面で重合わせて撮影筐体の側面に設置したもの（特許文献２参照）が提案されている。このように編集部を複数設けると、利用者に対して長い編集時間を提供することができ、編集にゆっくり時間を取りたい傾向にある利用者の満足度を向上させることができる。
【０００５】
しかし、このような写真撮影編集装置は、編集部が撮影部から独立した筐体となったため、編集筐体の分だけ装置全体の奥行きが広くなり、占有面積が大きくなるという問題点があった。
【０００６】
【特許文献１】特開２００５−２４４９１１号公報
【特許文献２】特開２００５−２８４２９７号公報
【発明の開示】
【発明が解決しようとする課題】
【０００７】
この発明は、独立した編集筐体を設置した場合でも、装置全体の奥行きを短くすることができる写真撮影編集方法およびその装置を提供することを目的とする。
【課題を解決するための手段】
【０００８】
この発明は、撮影空間内の一以上の被写体を撮影側の撮影筐体に備えられた照明手段で照明し、前記照明手段で照明されている被写体を撮影手段で撮影して撮影画像を作成し、編集側の編集筐体に備えられた編集手段で前記撮影画像を編集許容して編集画像を作成許容し、前記撮影画像または／および前記編集画像を出力手段で出力する写真撮影編集方法またはその装置であって、撮影方向を前記撮影筐体側に向けて前記編集筐体に備えられた前記撮影手段が、前記撮影筐体に備えられた窓部を通じて該撮影筐体越しに前記撮影空間内の一以上の被写体を撮影する写真撮影編集方法またはその装置であることを特徴とする。
【０００９】
前記撮影空間は、撮影用に利用者に提供する空間を指し、前記撮影手段で撮影可能な範囲の空間、又は、背景部材や出入り口部材等の周景部材で囲繞（若しくは略囲繞）した空間で構成することができる。  
前記撮影手段は、デジタルカメラ又はデジタルビデオカメラで構成することができる。  
前記編集手段は、利用者にタッチペン又は指でタッチされた座標を取得するタッチパネルやマウス等のポインティングデバイス（座標入力手段）で構成することができる。
【００１０】
前記撮影筐体は、分離可能に構成される２つの筐体のうち撮影側に設置される一方の筐体を指し、前記編集筐体は、分離可能に構成される２つの筐体のうち編集側に設置される他方の筐体を指す。従って、撮影筐体は、デジタルカメラなどの撮影手段を有する筐体に限らず、撮影手段を有しない筐体であることも含まれる。
【００１１】
前記出力手段は、インクジェットプリンタ、昇華型熱転写プリンタや溶融型熱転写プリンタ等の熱転写プリンタ、又はレーザプリンタ等、モノトーン、セピア（ｓｅｐｉａ）トーン又はカラー等で画像を印刷する印刷手段、画像データを送信する通信手段、又は画像データを記憶媒体に書き込む記憶媒体リーダ／ライタで構成することができる。
【００１２】
前記照明手段は、ストロボ発光するストロボ照明装置、又は／及び、蛍光灯や白熱灯等の連続照明装置で構成することができる。  
前記窓部は、透明ガラスや透明プラスチックなどの透明部材、または穴で形成することができる。
【００１３】
この発明の態様として、前記撮影手段が前記編集筐体に取付部によって取り付けられ、該取付部により、前記撮影筐体と前記編集筐体との接続面に対して前記撮影手段の略並行な移動を許容することができる。
【００１４】
またこの発明の態様として、前記編集筐体に取り付けられた前記撮影手段が、位置決め手段により前記撮影筐体に対して位置決めされた状態で前記撮影を行うことができる。  
この位置決め手段により、撮影空間との関係で適切な撮影画像が得られるように撮影手段の撮影方向を容易に調整することができる。
【００１５】
またこの発明の態様として、前記編集手段が、前記撮影画像などの画像を表示するディスプレイと、該ディスプレイの表示に対してのタッチ入力を許容するタッチパネルとで構成され、前記編集筐体に、前記ディスプレイおよびタッチパネルを開閉可能に取り付ける開口部が備えられて、前記開口部が開けられて該開口部から連通する空間を介してメンテナンスされた前記撮影手段により、前記撮影を行うことができる。
【００１６】
前記開口部は、前記ディスプレイおよびタッチパネルを着脱可能に取り付ける枠部、前記ディスプレイおよびタッチパネルを扉のごとく枢動開閉可能に枢着する枠部、または、前記ディスプレイおよびタッチパネルをスライド開閉可能に取り付ける枠部で構成することができる。
【発明の効果】
【００１７】
この発明により、独立した編集筐体を設置した場合でも、装置全体の奥行きを短くすることができる写真撮影編集方法およびその装置を提供できる。
【発明を実施するための最良の形態】
【００１８】
この発明の一実施形態を以下図面と共に説明する。  
図１は写真シール作成装置１の外観斜視図を示し、図２は撮影筐体３の平面図を示し、図３はデジタルカメラ周辺の正面図を示し、図４はデジタルカメラ周辺の縦断左側面図を示し、図５は写真シール作成装置１の編集筐体２と撮影筐体３の左側面図を示し、図６は、編集筐体２の平面図を示し、図７は編集筐体２の正面図を示す。
【００１９】
写真シール作成装置１は、枠体６で六面体状に囲繞された撮影空間９の前方側（図２の左側）に撮影筐体３が設けられ、撮影空間９の後方側（図２の右側）にプラスチックパネルまたはカーテン等で構成される背景部材８が設けられている。
【００２０】
また、撮影空間９の天井部分には、天井中央照明ボックス４、天井後方照明ボックス５、および鉄板に複数の通気穴を穿設した通気板（所謂パンチングメタル）７が前方から後方へこの順で配設されている。この通気板７は、撮影空間９内にこもった熱気を外部に放出できるため、撮影空間９内に熱がこもって利用者に暑く感じさせることを防止している。
【００２１】
また撮影空間９の左右両側には、上下に長い手摺１０が枠体６に沿って撮影空間９側に突出して配設されている。この手摺１０は、平均身長の女子高生の膝丈程度の位置から肩程度の位置まで上下に渡って設けられている。このため、利用者は手摺１０を掴んで様々なポーズで撮影できる。  
また、枠体６の外側で撮影筐体３の向こう側には、編集筐体２が設けられている。
【００２２】
撮影筐体３の正面には、図２に示すように上方半分以上の領域に照明部１４が設けられている。照明部１４の中央には、略四角形の穴である撮影用窓１７が設けられており、この撮影用窓１７の向こう側に編集筐体２のデジタルカメラ１８とディスプレイ１９が位置している。照明部１４の下方には、右側に上から順に液晶パネル（表示手段）２１、硬貨投入口２２、硬貨排出口２３、および荷物置き棚２４がこの順で設けられている。
【００２３】
照明部１４は、図示省略する仕切板により、上段部分の上方照明ボックス１１、中段部分の中央照明ボックス１２、下段部分の下方照明ボックス１３に区分けされて構成されている。
【００２４】
これらの照明ボックス１１，１２，１３は、いずれも前面に拡散板１５が複数配設され、内側にストロボ発光体２０（図５参照）および蛍光灯が設けられており、ストロボ発光体２０の閃光や蛍光灯の連続光を拡散板１５で拡散して撮影空間９を照明する。
【００２５】
撮影用窓１７の周辺は、図３の正面図、および図４の縦断左側面図に示すように構成されている。  
すなわち撮影用窓１７は、撮影筐体３の正面視略中央より少し上部分に設けられた前後方向に連通する四角形の穴である。この撮影用窓１７の周囲には、該撮影用窓１７を上下左右の四方から囲繞するように４つのレフ板１６が配設されている。これらのレフ板１６は、表面が白色塗装された細長い板金によって形成されており、図４に示すようにデジタルカメラ１８から撮影空間９（図１参照）側に向かって外側に広がるように傾斜して配置されている。そして、左右と下部の３枚のレフ板１６の中央には、レフ板１６の長手方向と同一方向に細長くレフ板１６より一回り小さい形状に形成された拡散板２７がそれぞれ設けられている。従って、左右と下部の３枚のレフ板１６は、拡散板２７を支持する支持部材としても機能する。
【００２６】
編集筐体２側には、前記撮影用窓１７の内側位置に、撮影用のデジタルカメラ１８と撮影時のライブビュー用のディスプレイ１９が上からこの順で設けられている。このデジタルカメラ１８は、図４に示すように少し下方（例えば１５°程度）に傾斜して編集筐体２に配設され、該デジタルカメラ１８の下方にはライブビュー用のディスプレイ（表示手段）１９が表示面を上方へ向けて傾斜して設けられている。なお、ディスプレイ１９は、適宜のカメラケースによってデジタルカメラ１８と固定して構成してもよい。この場合、デジタルカメラ１８とディスプレイ１９を一体的に位置決めすることができる。
【００２７】
この編集筐体２のデジタルカメラ１８の手前上面には、編集筐体２内に設けられた直接光ストロボ２０から斜め下方へ向けて照射された光を拡散する拡散板２８が設けられている。また、この編集筐体２のディスプレイ１９の手前下面には、編集筐体２内に設けられた直接光ストロボ２０から斜め上方へ向けて照射された光を拡散する拡散板２９が設けられている。
【００２８】
編集筐体２は、図５の左側面図に示すように、側面に編集用の液晶パネル（表示手段）３３が設けられ、その両横に液晶パネル３３に重ねて設けられたタッチパネルに書き込むためのタッチペン３２，３２が設けられている。
【００２９】
液晶パネル３３は、画像表示を行うディスプレイであり、表面に透明のタッチパネル３４が重ねて設けられている。この液晶パネル３３は、編集筐体２の傾斜面に形成された開口部３０に着脱可能に取り付けられ、編集筐体２内に埋設されている。またこの液晶パネル３３は、図７に示すように、普通人の目の高さより少し下の位置に設けられ、普通人が液晶パネル３３の中心を見ると、その視線と液晶パネル３３表面が直交する角度の傾斜に設けられている。
【００３０】
編集筐体２の上方位置には、図５に示すようにストロボ調整用開口部２６が設けられている。このストロボ調整用開口部２６には、板状の蓋が開閉可能に取り付けられている。これにより、ストロボ調整用開口部２６から蓋を取り外して上方のストロボ発光体２０を容易にメンテナンスすることができる。
【００３１】
編集筐体２の下方位置には、右側に写真シール排出口３７が設けられ、左側に硬貨投入口３６と硬貨排出口３９とが上下にこの順で配設されている。  
編集筐体２は、左右対称に構成されており、前記タッチペン３２、液晶パネル３３、硬貨投入口３６、写真シール排出口３７、および硬貨排出口３９は、編集筐体２の左右両面に設けられている。
【００３２】
また、編集筐体２の背面下方には、空気を内部に取り込む吸気口３８が設けられており、編集筐体２内の背面側中央には、内部の空気を上方へ誘導するファン３５が設けられており、編集筐体２の上面側前後両端付近には、内部の空気を上方へ外部に排出する排気口３１，３１（図６参照）が設けられている。
【００３３】
図７の正面図に示すように、編集筐体２の正面には、デジタルカメラ１８とディスプレイ１９が上からこの順で設けられている。  
このデジタルカメラ１８とディスプレイ１９は、図４に示すように前面が編集筐体２の前面より奥まった位置に前後位置が調節されて編集筐体２内に埋設されている。これにより、編集筐体２の前面と撮影筐体３の背面とを接続する際にデジタルカメラ１８とディスプレイ１９が傷つくことや、接続の障害となることを防止している。
【００３４】
またこのデジタルカメラ１８とディスプレイ１９は、鉛直方向の高さが、液晶パネル３３の高さと同程度の高さに設けられている。これにより、液晶パネル３３の裏側にデジタルカメラ１８とディスプレイ１９が位置することとなる。
【００３５】
以上の構成により、撮影筐体３より奥側の編集筐体２に設けられたデジタルカメラ１８が、撮影筐体３の撮影用窓１７を介して、撮影筐体３より手前側の撮影空間９に存在する被写体を撮影筐体３越しに撮影することができる。そして、開口部３０から液晶パネル３３をタッチパネル３４と共に取り外して開口部３を開ければ、該開口部３から係員が手を入れてデジタルカメラ１８およびストロボ発光体２０を直接触ってメンテナンスできる。さらに上方のストロボ発光体２０については、ストロボ調整用開口部２６から係員が手を入れて直接触ってメンテナンスすることもできる。
【００３６】
図８は、デジタルカメラ１８を編集筐体２に取り付ける取付部と、デジタルカメラ１８を編集筐体２に位置決めする位置決め部の斜視図を示し、図９は、前記取付部と位置決め部の側面断面図を示す。
【００３７】
編集筐体２には、カメラケース５２を取り付ける幅方向に長い取付板４４が上下に配設されており、この２つの取付板４４の間にはカメラケース５２を埋設できる空間が設けられている。
【００３８】
各取付板４４には、固定部材であるビス６１の直径とほぼ同一の直径を有する取付穴４５が左右に対象に配設されている。
【００３９】
カメラケース５２は、正面（図９の図示右側）に開口部を有するボックス状のカメラ収納部５５と、該カメラ収納部５５の縁に四方へ鍔状に形成された位置決め板５４とで構成されている。なお、カメラケース５２の下方には、前記ディスプレイ１９が収納されている。
【００４０】
位置決め板５４は、デジタルカメラ１８をカメラ収納部５５へ挿入可能な大きさの穴が中央に形成されており、該穴の周囲に、過大穴５１と位置決め穴５３が配設されている。
【００４１】
過大穴５１は、ビス６１の直径より充分に大きい所謂バカ穴と呼ばれる穴であり、取付板４４に設けられた４つの取付穴４５と対応した位置に１つずつ計４つ設けられている。
【００４２】
位置決め穴５３は、ビス６２の直径と同程度の直径の穴であり、カメラ収納部５５の両側部で上下に配設されて計４つ設けられている。この位置決め穴５３は、上下に配設された２つの取付板４４の間に位置するように形成されている。
【００４３】
撮影筐体３の背面を形成する背面板４１には、ビス６１を挿通するためのビス６１の直径と同程度の取付穴４２と、ビス６２を挿通するためのビス６２の直径と同程度の位置決め穴４３とが設けられている。
【００４４】
取付穴４２は、取付板４４に設けられた４つの取付穴４５と対応する位置に形成されている。  
位置決め穴４３は、カメラケース５２に設けられた位置決め穴５３と対応する位置に形成されている。
【００４５】
以上の構成により、編集筐体２の背面と撮影筐体３の正面とを接続する際に、編集筐体２の取付板４４をビス６１で撮影筐体３の背面板４１に接続して固定することができる。
【００４６】
そして、この固定の際に、カメラケース５２に形成された過大穴５１がビス６１の直径より充分に大きいため、図９の説明図に示すようにカメラケース５２を上下左右（編集筐体２と撮影筐体３の接続面と略並行な方向）に水平移動させることができる。
【００４７】
ここで、図１０は上下方向の移動を説明する説明図であり、図１０（Ａ）は中央位置、図１０（Ｂ）は上方位置、図１０（Ｃ）は下方位置に編集筐体２が撮影筐体３に対して取り付けられた図を示し、図１１は液晶パネル３３を取り外した状態の説明図を示している。
【００４８】
このようにカメラケース５２は、図１０（Ａ）に示す中央位置だけでなく、図１０（Ｂ）に示す上方位置や、図１０（Ｂ）に示す下方位置まで、任意の位置で固定することができ、取り付けの容易性が高まる。従って、設置地面の高低差によって連結設置する撮影筐体３と編集筐体２とに高低差が現れても、この高低差に左右されずにカメラケース５２を撮影筐体３に固定でき、撮影空間９の中心にデジタルカメラ１８の撮影方向中心を合わせて位置決めすることができる。
【００４９】
また、図１１の説明図に示すように、開口部３０から液晶パネル３３を取り外せば、開口部３０から係員が直接手を入れて、デジタルカメラ１８を直接メンテナンスすることができる。従って、従来のようにデジタルカメラ１８を取り外す際にわざわざ分解する労力を削減でき、効率良く写真シール作成装置１を提供できる。
【００５０】
図１２は、写真シール作成装置１の構成を示すブロック図であり、図１３は、写真シール作成装置１の撮影部の構成を示すブロック図であり、図１４は、写真シール作成装置１の編集部の構成を示すブロック図である。
【００５１】
写真シール作成装置１は、バス１２１に接続して、制御部１３１、制御情報記憶部１３２、画像データ保持部１３３、プレイ情報記憶部１３４、利用者情報記憶部１３５、硬貨部１４１、撮影部１４２、編集部１４３、およびドライブ１４８が設けられている。
【００５２】
制御部１３１は、ゲーム管理部１５１、硬貨処理部１５２、撮影処理部１５３、移動案内処理部１５４、編集処理部１５５、印刷処理部１５６、事後接客処理部１５７、および計時部１５８により構成されている。
【００５３】
ゲーム管理部１５１は、ゲームに関する管理を行う部分であり、照明、撮影、編集に関する制御を行う。  
硬貨処理部１５２は、硬貨投入口３６に投入された硬貨を処理する部分であり、投入金額の把握を行う。
【００５４】
撮影処理部１５３は、撮影を行う部分であり、デジタルカメラ１８による撮影を制御する。  
移動案内処理部１５４は、利用者が移動すべき編集箇所を液晶パネル２１への表示や音声により案内する処理を行う。
【００５５】
編集処理部１５５は、液晶パネル３３への表示とタッチペン３２でのタッチ入力による画像編集を許容する処理を行う。  
印刷処理部１５６は、シール紙への画像の印刷を行って完成した写真シールシートを写真シール排出口３７から排出する処理を行う。
【００５６】
事後接客処理部１５７は、ミニゲームや画像情報の送信といった事後接客を実行する。  
計時部１５８は、撮影や編集において利用者に入力させる場面で入力許容する制限時間の経過を計時する。
【００５７】
制御情報記憶部１３２は、写真シール作成装置１の各種制御に関する制御情報を記憶している。  
画像データ保持部１３３は、撮影画像や編集画像といった画像のデータを保持している。
【００５８】
プレイ情報記憶部１３４は、プレイ中の情報、たとえばコースや写り、出力枚数などの利用者に選択させる情報を記憶する。  
利用者情報記憶部１３５は、利用者に関する情報を記憶する。  
硬貨部１４１は、硬貨投入口２２から投入された硬貨を処理する部分であり、投入金額の把握を行う。
【００５９】
撮影部１４２は、ストロボ発光体２０による照明と撮影用の入力案内を実行する。  
編集部１４３は、デジタルカメラ１８による撮影と撮影画像に対する利用者の編集を許容する。
【００６０】
ドライブ１４８は、フレキシブルディスクなどのリムーバブルメディア１６２に対して情報の読み書きを実行する。  
なお、写真シール作成装置１の全体を制御するコンピュータは、編集筐体２内に設けられている。
【００６１】
前記撮影部１４２は、図１３に示すように、バス１２１に接続されて音声出力制御部１７１、照明制御部１７２、表示制御部１７４、およびタッチパネル制御部１７５が設けられており、音声出力部１７６、照明部１７７、液晶パネル２１、ＶＲＡＭ１７３、およびタッチパネル１７９が設けられている。
【００６２】
音声出力制御部１７１は、音声出力部１７６からの音声出力を制御する。  
照明制御部１７２は、ストロボ発光体２０による閃光照射のタイミングと照射強度を制御する。この閃光を発する際に照明制御部１７２は、利用者に選択されたコースや写り設定により、複数段階（例えば１５段階）に照射強度を設定できる各ストロボ発光体２０についてそれぞれ照射強度を異ならせ、様々な照明効果を演出する。
【００６３】
ＶＲＡＭ１７３は、表示制御部１７４から受け取った画像情報を記憶し、必要に応じて記憶している画像情報を表示制御部１７４に送信する。  
表示制御部１７４は、液晶パネル２１の表示を制御する。
【００６４】
タッチパネル制御部１７５は、前記表示制御部１７４を制御する。  
音声出力部１７６は、音声案内などを必要に応じて実行する。  
タッチパネル１７９は、利用者にタッチされた入力情報を表示制御部１７４に送信する。
【００６５】
前記編集部１４３は、図１４に示すように、バス１２１に接続されて第１編集部２２１、第２編集部２２２、印刷部２３１、ファン制御部２３２、カメラ制御部２３４、デジタルカメラ１８、表示制御部２３６、および通信部２３９が設けられている。
【００６６】
第１編集部２２１には、音声出力制御部２２３、音声出力部２２４、ＶＲＡＭ２２５、表示制御部２２６、液晶パネル３３、タッチパネル制御部２２８、タッチパネル３４、およびタッチペン３２により構成されている。
【００６７】
音声出力制御部２２３は、音声出力部２２４からの音声出力を制御する。  
音声出力部２２４は、音声案内などを必要に応じて実行する。
【００６８】
ＶＲＡＭ２２５は、表示制御部２２６から受け取った画像情報を記憶し、必要に応じて記憶している画像情報を表示制御部２２６に送信する。  
表示制御部２２６は、液晶パネル２１の表示を制御する。
【００６９】
タッチパネル制御部２２８は、前記表示制御部２２６を制御し、またタッチパネル３４から入力情報を受け取る。  
タッチパネル３４は、利用者にタッチペン３２でタッチされた入力情報をタッチパネル制御部２２８に送信する。
【００７０】
第２編集部２２２は、第１編集部２２１と同一の構成要素を備えているため、詳細な説明を省略する。
【００７１】
印刷部２３１は、編集画像を適宜のレイアウトに配置した印刷画像をシール紙に印刷して写真シールシートを作成する。  
ファン制御部２３２は、ファン３５（図２参照）を回転させる制御を行い、編集筐体２内の温風を外部へ排気する。
【００７２】
カメラ制御部２３４は、デジタルカメラ１８の動作を制御する。  
表示制御部２３６は、撮影用にライブビューを表示するディスプレイ１９の表示を制御する。
【００７３】
ＶＲＡＭ２３８は、表示制御部２３６から受け取った画像情報を記憶し、必要に応じて記憶している画像情報を表示制御部２３６に送信する。  
通信部２３９は、インターネットなどのネットワーク２４１を介して携帯電話機などの他の装置に画像情報を送信する。
【００７４】
以上の構成により、写真シール作成装置１は、撮影空間９に存在する被写体を撮影筐体３の照明部１４で照明し、編集筐体２のデジタルカメラ１８で撮影し、この撮影による撮影画像を編集筐体２で編集許容し、この編集による編集画像をレイアウトに配置してシール紙に印刷し、写真シールシートを提供することができる。
【００７５】
図１５は、写真シール作成装置１の制御部１３１が実行する全体動作のフローチャートを示す。  
制御部１３１は、撮影設定処理で撮影の設定を行い（ステップＳ１）、撮影処理を実行し（ステップＳ２）、移動案内処理で２つある編集空間のいずれか一方へ利用者を誘導し（ステップＳ３）、編集処理を実行し（ステップＳ４）、印刷処理および事後接客処理を実行し（ステップＳ５）、写真シールシートを排出し（ステップＳ７）、処理を終了する。
【００７６】
以上の動作により、利用者は、照明付きの撮影をし、撮影画像に編集し、この編集画像をシール紙に印刷した写真シールシートを取得することができる。
【００７７】
以上に説明した写真シール作成装置１により、撮影筐体３と編集筐体２を接続した筐体全体の奥行きを短くすることができ、撮影空間９を狭くすることなく写真シール作成装置１全体の占有面積を小さくできる。すなわち、従来は、図１６（Ａ）の従来の写真シール作成装置１００１の概略図に示すように、デジタルカメラ１０１８を収納するために撮影筐体１００３の前後方向の長さが長くなっていて、しかもアイキャッチ効果を演出するレフ板１０１６などの仕掛けも撮影筐体１００３の前方へ突出していた。しかし、この実施形態の写真シール作成装置１により、図１６（Ｂ）の概略図に示すように、デジタルカメラ１８を編集筐体２内に収納することができるため、撮影筐体３の前後方向の長さを短くすることができ、さらにレフ板１６などの仕掛けを撮影筐体３内に設けることができる。これにより、撮影空間９を広くとることができ、多人数撮影を希望する顧客に十分な環境を提供することができる。また、撮影空間９を狭くした場合のように多人数を受入れることができなくなって印刷枚数が低下するなど店舗の収益が低下してしまうということを回避できる。
【００７８】
また、デジタルカメラ１８を接続するケーブルのノイズの負担を軽減することができる。つまり、従来であれば、図１７（Ａ）の概略図に示すように、編集筐体１００２に装置全体を制御するコンピュータが設けられ、撮影筐体１００３にデジタルカメラ１０１８が設けられていたため、ケーブル１１５０，１１５０間に中継部１１５１が必要となっていた。この中継部１１５１は、シールドすることができないため、この部分でノイズの負担が発生していた。しかし、この実施形態の写真シール作成装置１は、写真シール作成装置１全体の制御を行う制御部１３１を構成するコンピュータとデジタルカメラ１８との両方が編集筐体２に設けられているため、図１７（Ｂ）の概略図に示すように、制御部１３１とデジタルカメラ１８とをケーブル１５０で直結できる。このため、ケーブル１５０にシールドケーブルを使用するなどして、ノイズの負担を軽減することができる。また中継器１１５１のコスト、および撮影筐体１００３側のケーブル１１５０のコストも削減できる。
【００７９】
また、液晶パネル３３を高めの位置に鉛直に近い傾斜角度で設けたため、編集筐体２内にデジタルカメラ１８をゆったりと埋設することができる。すなわち、従来であれば、図１８（Ａ）の概略背面図に示すように、液晶パネル１０３３を普通人の腹部程度の高さに寝かせた傾斜角度で設けていたため、デジタルカメラ１０１８を編集筐体２内の適切な高さ位置に埋設することができなかった。しかし、この実施形態の写真シール作成装置１は、従来のものより起こした傾斜角度でかつ高い位置に液晶パネル３３を配設しているため、編集筐体２が占有する横幅を変更することなくデジタルカメラ１８を編集筐体２内の適切な高さ位置に埋設することができる。これにより、編集空間が窮屈にならず、利用者は快適に編集できる。
【００８０】
また、編集筐体２の液晶パネル３３を取り外すだけで開口部３０からデジタルカメラ１８およびストロボ発光体２０を直接調整でき、またストロボ調整用開口部２６を介して上方のストロボ発光体２０を直接調整できるため、メンテナンスのために編集筐体２と撮影筐体３を切り離す必要がなく、メンテナンスが容易となって作業効率を向上することができる。
【００８１】
また、写真シール作成装置１を設置する床などの設置面が水平でなく、編集筐体２と撮影筐体３との接続位置が理想の位置よりずれるような場合であっても、過大穴５１とビス６１によって編集筐体２に対してデジタルカメラ１８が上下左右に移動でき、位置決め穴４３、位置決め穴５３、およびビス６２によってデジタルカメラ１８を撮影筐体３に直接位置決めして固定できるため、デジタルカメラ１８の光軸調整を容易かつ短時間に行うことができる。
【００８２】
また、被写体となる利用者は、最低でも撮影筐体３の前後方向の厚み分はデジタルカメラ１８から離れて撮影するため、多人数であってもデジタルカメラ１８に近づきすぎることがなく、安定した撮影を行える。また、撮影筐体の正面にデジタルカメラを備えたような従来の写真シール作成機に比べてデジタルカメラ１８を撮影方向後方に設置できるため、被写体とデジタルカメラ１８の距離を従来のものより広く取ることができ、撮影範囲が広がって多人数でも良好に撮影できる。また、被写体とデジタルカメラ１８の距離を広く取ることによって、デジタルカメラ１８のピントが合う領域も広がり、様々なポーズ、様々な人数、様々な位置での被写体の撮影に対していずれも良好な撮影画像が得られる。
【００８３】
また、編集筐体２はそのままで、撮影筐体３だけを自由に交換することが可能となるので、季節などの時間要素に合わせた複数種類の撮影筐体３を提供すれば、撮影筐体３を交換して様々な撮影環境を被写体となる利用者に提供できる。この場合、例えば、季節に合わせて夏版や冬版の撮影筐体３、お正月などの年中行事に合わせた撮影筐体３を提供できる。
【００８４】
また、このように撮影筐体３を交換しても、デジタルカメラ１８は編集筐体２の中に常に残るため、制御部１３１との関係でカメラ環境を再設定する必要がなく、再設定の手間を省くことができる。
【００８５】
また、カーテンなどの仕切り部材で閉鎖された撮影空間９に設けられた撮影筐体３にデジタルカメラ１８が存在しないため、従来のように人目につかない撮影空間９内でデジタルカメラ１８が盗難されることを防止できる。
【００８６】
また、デジタルカメラ１８が編集筐体２内まで後退していることで、撮影筐体３に設けられたレフ板１６やストロボ発光体２０とデジタルカメラ１８とが離間するため、遮光板を設けずともストロボ発光体２０からの閃光がデジタルカメラ１８に回り込むことを防止できる。
【００８７】
なお、以上の実施形態で、液晶パネル３３は、編集筐体２の開口部３０に着脱可能に設けたが、開口部３０に対して扉の如く開閉可能に枢着してもよい。この場合も、液晶パネル３３を開ければ開口部３０からデジタルカメラ１８やストロボ発光体２０を容易にメンテナンスすることができる。
【００８８】
この発明の構成と、上述の実施形態との対応において、
この発明の写真撮影編集装置は、実施形態の写真シール作成装置１に対応し、
以下同様に、
照明手段は、ストロボ発光体２０に対応し、
窓部は、撮影用窓１７に対応し、
撮影手段は、デジタルカメラ１８に対応し、
ディスプレイは、液晶パネル３３に対応し、
取付部は、過大穴５１およびビス６１に対応し、
位置決め手段は、位置決め穴４３，５３およびビス６２に対応し、
編集手段は、タッチパネル３４およびタッチペン３２に対応し、
出力手段は、印刷部２３１に対応するも、
この発明は、上述の実施形態の構成のみに限定されるものではなく、多くの実施の形態を得ることができる。
【図面の簡単な説明】
【００８９】
【図１】写真シール作成装置１の外観斜視図。
【図２】撮影筐体の平面図。
【図３】デジタルカメラ周辺の正面図。
【図４】デジタルカメラ周辺の縦断左側面図。
【図５】編集筐体と撮影筐体の左側面図。
【図６】編集筐体の平面図。
【図７】編集筐体の正面図。
【図８】取付部と位置決め部の斜視図。
【図９】取付部と位置決め部の側面断面図。
【図１０】デジタルカメラの上下方向の移動を説明する説明図。
【図１１】液晶パネルを取り外した状態の説明図。
【図１２】写真シール作成装置の構成を示すブロック図。
【図１３】写真シール作成装置の撮影部の構成を示すブロック図。
【図１４】写真シール作成装置の編集部の構成を示すブロック図。
【図１５】写真シール作成装置の制御部が実行する全体動作のフローチャート。
【図１６】撮影筐体の大きさ説明図。
【図１７】ケーブル接続の説明図。
【図１８】デジタルカメラ収納の説明図。
【符号の説明】
【００９０】
１…写真シール作成装置
２…編集筐体
３…撮影筐体
８…撮影空間
１７…撮影用窓
１８…デジタルカメラ
２０…ストロボ発光体
３０…開口部
３２…タッチペン
３３…液晶パネル
３４…タッチパネル
４３，５３…位置決め穴
５１…過大穴
６１，６２…ビス
２３１…印刷部
【図１】
2007163949.tif 000003
【図２】
2007163949.tif 000004
【図３】
2007163949.tif 000005
【図４】
2007163949.tif 000006
【図５】
2007163949.tif 000007
【図６】
2007163949.tif 000008
【図７】
2007163949.tif 000009
【図８】
2007163949.tif 000010
【図９】
2007163949.tif 000011
【図１０】
2007163949.tif 000012
【図１１】
2007163949.tif 000013
【図１２】
2007163949.tif 000014
【図１３】
2007163949.tif 000015
【図１４】
2007163949.tif 000016
【図１５】
2007163949.tif 000017
【図１６】
2007163949.tif 000018
【図１７】
2007163949.tif 000019
【図１８】
2007163949.tif 000020